(57)【要約】【課題】結び目が小さくなって目立たない人工毛髪を提供する。【解決手段】本発明の人工毛髪１は、人工の単繊維からなり、前記単繊維の一端を含む第１領域１１と、前記単繊維の他端を含む第２領域１２と、第１及び第２領域１１、１２の間に位置する第３領域１３とを含み、第３領域１３における前記単繊維の断面積が、第１及び第２領域１１、１２における前記単繊維の断面積よりも小さい。【選択図】図１
2020133075.tif 000002
【特許請求の範囲】
【請求項１】
人工の単繊維からなり、前記単繊維の一端を含む第１領域と、前記単繊維の他端を含む第２領域と、前記第１及び第２領域の間に位置する第３領域とを含み、前記第３領域における前記単繊維の断面積が、前記第１及び第２領域における前記単繊維の断面積よりも小さいことを特徴とする人工毛髪。
【請求項２】
前記第１及び第２領域における前記単繊維の直径が０．０５ｍｍ超〜０．１５ｍｍ以下の範囲内であり、前記第３領域における前記単繊維の短径が、前記第１及び第２領域における前記単繊維の直径よりも小さい請求項１に記載の人工毛髪。
【請求項３】
前記第３領域における前記単繊維の短径が、前記第１及び第２領域における前記単繊維の直径よりも０．０１ｍｍ〜０．０５ｍｍ小さい請求項２に記載の人工毛髪。
【請求項４】
前記第３領域の長さを２０〜５０ｍｍの範囲内とした請求項１〜３のいずれか１項に記載の人工毛髪。
【請求項５】
請求項１〜４のいずれか１項に記載の人工毛髪の複数の束が整列した状態で保持される人工毛髪束セットであって、
前記人工毛髪の１束は、前記単繊維の長手方向に沿って揃えられた２本以上の前記人工毛髪で構成され、複数本の前記人工毛髪は、互いの前記第１領域、前記第２領域がそれぞれ個別に束ねられるとともに、互いの前記第３領域が、前記第１領域の束と前記第２領域の束とを相反する方向に引くと結び目を作ることが可能な未結着の１つの輪を形成し、
一方向に延びる粘着剤に前記第３領域が接着され、前記人工毛髪の複数の束が前記粘着剤に沿って整列した状態で保持されることを特徴とする人工毛髪束セット。
【請求項６】
複数本の人工の単繊維を、間隔をおいて略平行に並べ、各単繊維の一端側及び他端側を固定し、各単繊維の一端と他端との間に位置する所定領域を研磨することにより、前記所定領域における前記単繊維の断面積を、前記所定領域以外における前記単繊維の断面積よりも小さくすることを特徴とする人工毛髪の製造方法。
【請求項７】
前記所定領域における前記単繊維の外周面のうちの一側を研磨することにより、前記所定領域における前記単繊維の断面積を、前記所定領域以外における前記単繊維の断面積よりも小さくする請求項６に記載の人工毛髪の製造方法。
【請求項８】
前記所定領域における前記単繊維の外周面のうちの一側及び他側を研磨することにより、前記所定領域における前記単繊維の断面積を、前記所定領域以外における前記単繊維の断面積よりも小さくする請求項６に記載の人工毛髪の製造方法。
【請求項９】
研磨材としての粒子を混合した液体を噴射させることにより、各単繊維の前記所定領域を研磨する請求項６〜８のいずれか１項に記載の人工毛髪の製造方法。
【請求項１０】
請求項１〜４のいずれか１項に記載の人工毛髪を用いた増毛方法であって、
人間の頭部から生えている１本の自毛に、１本以上の前記人工毛髪の前記第３領域における前記単繊維を結着させることを特徴とする増毛方法。
【請求項１１】
請求項１〜４のいずれか１項に記載の人工毛髪を用いたかつらであって、
前記かつらを構成する人工又は天然の繊維に、１本以上の前記人工毛髪の前記第３領域における前記単繊維を結着させることを特徴とするかつら。
【発明の詳細な説明】
【技術分野】
【０００１】
本発明は、結び目が小さくなって目立たない人工毛髪、人工毛髪束セット、人工毛髪の製造方法、及び結び目が小さくなって目立たない人工毛髪を用いた増毛方法、かつらに関する。
【背景技術】
【０００２】
薄毛の一般的な対策として増毛とかつらが知られている。増毛は、頭部から生えている自毛に、人工毛髪や人毛を結着する施術である。例えば、特許文献１の図４に開示されているように、１本の自毛の根元に毛髪をＶ字形に結着して、毛量を３本に増やす。一方、かつらは、かつらベースの網目をなす繊維に人工毛髪等を結着した構成となっている。かつらベースに人工毛髪等を結着する具体的な方法は、例えば、特許文献２に開示されている。
【先行技術文献】
【特許文献】
【０００３】
【特許文献１】特開２０１５−００１０３５号公報
【特許文献２】特開２０１８−１５９１６８号公報
【発明の概要】
【発明が解決しようとする課題】
【０００４】
従来の人工毛髪や人毛は、自毛やかつらベースに結着させたときの結び目が大きくて目立つという問題がある。特に、結び目を解け難くするために結び方を複雑にするほど、結び目は大きく目立ち易くになる。
【０００５】
さらに、増毛は、自毛の根元に人工毛髪等を結着するが、自毛の成長に伴って人工毛髪等の結び目が根元から上に移動する。一般に、人間の頭髪は、１ヶ月で約１ｃｍ伸びると言われている。このため、自毛の根元に結着した人工毛髪等の結び目は、１ヶ月で約１ｃｍも自毛の根元から上に移動する。自毛の根元から上に移動した人工毛髪等の結び目は、見た目に違和感があるだけでなく、櫛やブラシの歯に引っ掛かり易くなる。
【０００６】
本発明は、上記問題点に鑑みてなされたものであり、結び目が小さくなって目立たない人工毛髪、人工毛髪束セット、人工毛髪の製造方法、及び結び目が小さくなって目立たない人工毛髪を用いた増毛方法、かつらを提供することを目的とする。
【課題を解決するための手段】
【０００７】
（１）上記目的を達成するために、本発明の人工毛髪は、人工の単繊維からなり、前記単繊維の一端を含む第１領域と、前記単繊維の他端を含む第２領域と、前記第１及び第２領域の間に位置する第３領域とを含み、前記第３領域における前記単繊維の断面積が、前記第１及び第２領域における前記単繊維の断面積よりも小さいことを特徴とする。
【０００８】
（２）好ましくは、上記（１）の人工毛髪において、前記第１及び第２領域における前記単繊維の直径が０．０５ｍｍ超〜０．１５ｍｍ以下の範囲内であり、前記第３領域における前記単繊維の短径が、前記第１及び第２領域における前記単繊維の直径よりも小さい。
【０００９】
（３）好ましくは、上記（２）の人工毛髪において、前記第３領域における前記単繊維の短径が、前記第１及び第２領域における前記単繊維の直径よりも０．０１ｍｍ〜０．０５ｍｍ小さい。
【００１０】
（４）好ましくは、上記（１）〜（３）のいずれかの人工毛髪において、前記第３領域の長さを２０〜５０ｍｍの範囲内とする。
【００１１】
（５）上記目的を達成するために、本発明の人工毛髪束セットは、上記（１）〜（４）のいずれかの人工毛髪の複数の束が整列した状態で保持される人工毛髪束セットであって、前記人工毛髪の１束は、前記単繊維の長手方向に沿って揃えられた２本以上の前記人工毛髪で構成され、複数本の前記人工毛髪は、互いの前記第１領域、前記第２領域がそれぞれ個別に束ねられるとともに、互いの前記第３領域が、前記第１領域の束と前記第２領域の束とを相反する方向に引くと結び目を作ることが可能な未結着の１つの輪を形成し、一方向に延びる粘着剤に前記第３領域が接着され、前記人工毛髪の複数の束が前記粘着剤に沿って整列した状態で保持される。
【００１２】
（６）上記目的を達成するために、本発明の人工毛髪の製造方法は、複数本の人工の単繊維を、間隔をおいて略平行に並べ、各単繊維の一端側及び他端側を固定し、各単繊維の一端と他端との間に位置する所定領域を研磨することにより、前記所定領域における前記単繊維の断面積を、前記所定領域以外における前記単繊維の断面積よりも小さくする。
【００１３】
（７）好ましくは、上記（６）の人工毛髪の製造方法において、前記所定領域における前記単繊維の外周面のうちの一側を研磨することにより、前記所定領域における前記単繊維の断面積を、前記所定領域以外における前記単繊維の断面積よりも小さくする。
【００１４】
（８）好ましくは、上記（６）の人工毛髪の製造方法において、前記所定領域における前記単繊維の外周面のうちの一側及び他側を研磨することにより、前記所定領域における前記単繊維の断面積を、前記所定領域以外における前記単繊維の断面積よりも小さくする。
【００１５】
（９）好ましくは、上記（６）〜（８）のいずれかの人工毛髪の製造方法において、研磨材としての粒子を混合した液体を噴射させることにより、各単繊維の前記所定領域を研磨する。
【００１６】
（１０）上記目的を達成するために、本発明の増毛方法は、上記（１）〜（４）のいずれかに記載の人工毛髪を用いた増毛方法であって、人間の頭部から生えている１本の自毛に、１本以上の前記人工毛髪の前記第３領域における前記単繊維を結着させる。
【００１７】
（１１）上記目的を達成するために、本発明のかつらは、上記（１）〜（４）のいずれかに記載の人工毛髪を用いたかつらであって、前記かつらを構成する人工又は天然の繊維に、１本以上の前記人工毛髪の前記第３領域における前記単繊維を結着させる。
【発明の効果】
【００１８】
本発明の人工毛髪、人工毛髪束セット、人工毛髪の製造方法、増毛方法及びかつらは、人工毛髪の第３領域における単繊維の断面積が、第１及び第２領域における単繊維の断面積よりも小さい。断面積の小さい第３領域の単繊維を結着させることにより、結び目が小さくなって目立たなくなる。
【図面の簡単な説明】
【００１９】
【図１】図１（ａ）は、本発明の実施形態に係る人工毛髪を示す外観図である。図１（ｂ）は、図１（ａ）の人工毛髪のＡ部の拡大図及び断面図である。図１（ｃ）は、図１（ａ）の人工毛髪の第１実施形態を示すＢ部の拡大図及び断面図である。図１（ｄ）は、図１（ａ）の人工毛髪の第１実施形態を示すＣ部の拡大図及び断面図である。図１（ｅ）は、図１（ａ）の人工毛髪の第２実施形態を示すＢ部の拡大図及び断面図である。図１（ｆ）は、図１（ａ）の人工毛髪の第２実施形態を示すＣ部の拡大図及び断面図である。
【図２】図２（ａ）は、本発明の実施形態に係る人工毛髪の製造方法に用いる加工用基板を示す平面図である。図２（ｂ）は、図２（ａ）の加工用基板の分解側面図である。
【図３】図３（ａ）〜（ｃ）は、第１実施形態に係る人工毛髪の製造方法の各工程を示す斜視図である。
【図４】図４（ａ）〜（ｄ）は、第２実施形態に係る人工毛髪の製造方法の各工程を示す斜視図である。
【図５】図５は、本発明の実施形態に係る人工毛髪束を示す外観図である。
【図６】図６（ａ）は、本発明の実施形態に係る１つの人工毛髪束セットを示す外観図である。図６（ｂ）は、４つの人工毛髪束セットを示す外観図である。
【発明を実施するための形態】
【００２０】
＜人工毛髪＞
まず、本発明の実施形態に係る人工毛髪の構成について、図１（ａ）〜（ｆ）を参照しつつ説明する。
【００２１】
図１（ａ）において、本実施形態の人工毛髪１は、人工の単繊維からなる。人工毛髪１を構成する単繊維として、例えば、ポリエステル、ナイロン、アクリル又は塩化ビニル系の合成繊維が用いられる。人工毛髪１を構成する単繊維の太さは、例えば、０．０５ｍｍ超〜０．１５ｍｍ以下のものが用いられる。また、人工毛髪１を構成する単繊維の強度の指標として、例えば、単繊維が直線状態のときの引っ張り強度で約０．８０Ｎ以上、かつらベースに結着した状態の引っ張り強度で約０．６０Ｎ以上のものが好ましい。
【００２２】
本実施形態の人工毛髪１は、略一定の直径を有する単繊維の中央部分を加工して、未加工の他の部分よりも断面積を小さくした構成に特徴がある。したがって、図１（ａ）に示すように、人工毛髪１の全体は、未加工の第１及び第２領域１１、１２と、加工した第３領域（中央部分）１３とに区別することができる。
【００２３】
人工毛髪１の第１領域１１は、図１（ａ）の左側に位置し、単繊維の一端を含む。第２領域１２は、図１（ａ）の右側に位置し、単繊維の他端を含む。第３領域１３は、第１及び第２領域１１、１２の間に位置し、第１及び第２領域１１、１２の両方に連続する。
【００２４】
図１（ａ）中の鎖線の円で囲ったＡ部は、第１及び第２領域１１、１２の未加工の単繊維の部分を示す。Ｂ部は、第１領域１１の未加工の単繊維と第３領域１３の加工した単繊維とが連続する部分を示す。Ｃ部は、第３領域１３の加工した単繊維の部分を示す。
【００２５】
ここで、第３領域１３の単繊維を加工する方法は２通りある。第１に、第３領域１３の単繊維の外周面のうちの一側だけを加工して断面積を小さくする。第２に、第３領域１３の単繊維の外周面のうちの一側及び他側を加工して断面積を小さくする。第１又は第２の加工方法のいずれを採用するかにより、第３領域１３の単繊維の断面形状が異なる。
【００２６】
図１（ｂ）は、人工毛髪１のＡ部を示す拡大図及び断面図である。図１（ｂ）に示すように、第１及び第２領域１１、１２の未加工の単繊維は、略一定の直径Ｄ１を有する。上述したように、未加工の単繊維の直径Ｄ１は、例えば、０．０５ｍｍ超〜０．１５ｍｍ以下である。
【００２７】
図１（ｃ）、（ｄ）は、上述した第１の加工方法によって、第３領域１３の単繊維を加工した場合の人工毛髪１のＢ部、Ｃ部の拡大図及び断面図を示す。
【００２８】
図１（ｃ）に示すように、人工毛髪１のＢ部においては、第１領域１１から第３領域１３にわたって単繊維の外周面のうちの一側だけの断面積が徐々に減少する。そして、図１（ｄ）に示すように、人工毛髪１のＣ部、すなわち、第３領域１３においては、単繊維の断面形状が、略円形でなくなり、短径Ｄ２が一定の略半円形となる。
【００２９】
一方、図１（ｅ）、（ｆ）は、上述した第２の加工方法によって、第３領域１３の単繊維を加工した場合の人工毛髪１のＢ部、Ｃ部の拡大図及び断面図を示す。
【００３０】
図１（ｅ）に示すように、人工毛髪１のＢ部においては、第１領域１１から第３領域１３にわたって単繊維の外周面のうちの一側及び他側の断面積が徐々に減少する。そして、図１（ｆ）に示すように、人工毛髪１のＣ部、すなわち、第３領域１３においては、単繊維の断面形状が、略円形でなくなり、短径Ｄ３が一定の略長円形となる。
【００３１】
図１（ｃ）〜（ｆ）において、人工毛髪１の第３領域１３における単繊維の短径Ｄ２、Ｄ３は、第１及び第２領域１１、１２における単繊維の直径Ｄ１よりも０．０１ｍｍ〜０．０５ｍｍ小さいことが好ましい。また、第３領域１３の単繊維の断面積を小さく加工した人工毛髪１は、直線状態のときの引っ張り強度が約０．８０Ｎ以上、かつらベースに植設した状態の引っ張り強度が約０．６０Ｎ以上であることが好ましい。
【００３２】
＜人工毛髪の製造方法＞
次に、本発明の実施形態に係る人工毛髪の製造方法について、図２〜図４を参照しつつ説明する。
【００３３】
人工毛髪１の第３領域１３における単繊維の断面積を減少させる加工方法は、特に限定されるものではない。例えば、薬品による化学反応や物理的な研磨によって、人工毛髪１の第３領域１３における単繊維の断面積を減少させることが可能である。本発明者が鋭意検討した結果、乾式又は湿式のブラスト加工が好適であり、特に、湿式のブラスト加工（ウェットブラスト）が最適であることを見出した。
【００３４】
図２（ａ）、（ｂ）は、人工毛髪１の第３領域１３における単繊維をブラスト加工するために用いる加工用基板１００を示す。加工用基板１００を用いたウェットブラストにより、第３領域１３の単繊維の断面積を精度よく減少させることができ、一定の品質の人工毛髪１を効率よく大量生産することが可能となる。
【００３５】
図２（ａ）、（ｂ）に示すように、加工用基板１００は、人工毛髪１の原材料となる多数本の単繊維を平行に並べて配置することが可能な面積を有する。加工用基板１００の中央には、人工毛髪１の第３領域１３に対応する矩形の開口部１０１が設けられる。この開口部１０１を中心にして、加工用基板１００の一端側及び他端側には、それぞれ両面テープ１１１が貼り付けられる。各両面テープ１１１には、人工毛髪１の原材料となる単繊維の一端側及び他端側が固定される。具体的に、単繊維の一端側及び他端側は、上下２枚の両面テープ１１１の間に保持される。さらに、上の両面テープ１１１の表面には、カバープレート１１２が貼り付けられる。カバープレート１１２は、単繊維の一端側及び他端側を押さえ付けて安定した固定状態を維持するとともに、上の両面テープ１１１の表面を覆って、加工用基板１００の取り扱いを容易にする。
【００３６】
加工用基板１００には、例えば、１５０〜２００本の単繊維が配置される。寸法の具体例として、単繊維の長さＬ１は、６００〜７００ｍｍ程度であり、隣り合う単繊維どうしの間隔Ｌ２は、０．５ｍｍ程度とする。開口部１０１の短手方向の長さＬ３は、２０〜５０ｍｍ程度とし、この長さＬ３の範囲が、人工毛髪１の第３領域１３となる。両面テープ１１１及びカバープレート１１２の短手方向の長さＬ４は、１５ｍｍ程度とする。
【００３７】
次に、上述した加工用基板１００を用いた人工毛髪１のウェットブラストについて、図３及び図４を参照しつつ説明する。図３（ａ）〜（ｃ）は、第３領域１３の単繊維の外周面のうちの一側だけをウェットブラストする場合の各工程を示す。一方、図４（ａ）〜（ｄ）は、第３領域１３の単繊維の外周面のうちの一側及び他側をウェットブラストする場合の各工程を示す。
【００３８】
まず、図３（ａ）に示すように、人工毛髪１の原材料となる１５０〜２００本の単繊維を加工用基板１００上に配置する。例えば、本実施形態では、２００本の単繊維を人工毛髪１に加工することとした。加工用基板１００への２００本の単繊維の配置は、人の手作業によって行われ、６０分程度の時間を要した。
【００３９】
次に、図３（ｂ）に示すように、加工用基板１００をウェットブラスト加工装置の処理テーブル上に載置し、加工用基板１００の開口部１０１をブラストガン２００に位置合わせする。その後、ブラストガン２００から水と研磨材との混合液を圧縮エアーによって噴射させ、２００本の単繊維の開口部１０１に対応する部分を湿式研磨する。これにより、第３領域１３における単繊維の外周面のうちの一側の断面積が減少する（図１（ｃ）、（ｄ）を参照）。図３（ｂ）に示す１回のウェットブラストには、２分３０秒程度の時間を要した。
【００４０】
最後に、加工用基板１００をウェットブラスト加工装置から取り出し、加工用基板１００に配置された状態のまま、２００本の単繊維をシャワーヘッド３００の水で洗浄し、乾燥させる。これにより、第３領域１３における単繊維の外周面のうちの一側だけの断面積を減少させた２００本の人工毛髪１が完成する。図３（ｃ）に示す洗浄及び乾燥には、２分程度の時間を要した。
【００４１】
一方、第３領域１３における単繊維の外周面のうちの一側及び他側の断面積を減少させた人工毛髪１を製造する場合は、図４（ｂ）、（ｃ）に示すように、ウェットブラストを２回実施する。図４（ｂ）に示すように、加工用基板１００の表面側から１回目のウェットブラストを実施する。その後、加工用基板１００を反転させて、加工用基板１００の裏面側から２回目のウェットブラストを実施する。これにより、第３領域１３における単繊維の外周面のうちの一側及び他側の断面積が減少する（図１（ｅ）、（ｆ）を参照）。
【００４２】
最後に、加工用基板１００をウェットブラスト加工装置から取り出し、加工用基板１００に配置された状態のまま、２００本の単繊維をシャワーヘッド３００の水で洗浄し、乾燥させる。これにより、第３領域１３における単繊維の外周面のうちの一側及び他側の断面積を減少させた２００本の人工毛髪１が完成する。
【００４３】
＜人工毛髪束セット＞
上述した図３（ａ）〜（ｃ）又は図４（ａ）〜（ｄ）の工程を経て製造された人工毛髪１は、図５に示すような人工毛髪束２に加工される。人工毛髪束２は、増毛方法の施術、すなわち、頭部から生えている自毛に、本実施形態の人工毛髪１を結着するのに好適な構成となっている。
【００４４】
図５において、人工毛髪束２は、単繊維の長手方向に沿って揃えられた２本以上の人工毛髪１で構成される。例えば、本実施形態では、４本の人工毛髪１によって１つの人工毛髪束２を構成することとした。４本の人工毛髪１の互いの第１領域１１、第２領域１２は、それぞれマスキングテープ２１、２２によって個別に束ねられる。また、４本の人工毛髪１の互いの第３領域１３は、１つの輪１３ａを形成する。第３領域１３の輪１３ａは、第１領域１１の束と第２領域１２の束とを相反する方向に引くと結び目を作ることが可能な未結着の状態となっている。
【００４５】
複数の人工毛髪束２は、図６（ａ）に示す人工毛髪束セット３を構成する。例えば、本実施形態の１つの人工毛髪束セット３には、２０束の人工毛髪束２が含まれる。図６（ａ）に示すように、２０束の人工毛髪束２は、一方向に延びる粘着テープ３１に第３領域１３の部分が接着され、粘着テープ３１の長手方向に沿って５束ずつ４グループに整列した状態で保持される。粘着テープ３１の接着剤は、人工毛髪束２を剥離可能に接着する。人工毛髪束２の第３領域１３に形成された輪１３ａの一部は、粘着テープ３１の上辺からはみ出しており、人工毛髪束２を粘着テープ３１から剥離する際に、指で摘むための持ち手となる。
【００４６】
複数の人工毛髪束セット３は、例えば、図６（ｂ）に示すような形態で増毛方法を提供するサロン等に出荷される。人工毛髪束セット３を構成する粘着テープ３１の接着面の反対面は、剥離加工が施されている。この構成により、一の人工毛髪束セット３の粘着テープ３１の接着面を、他の人工毛髪束セット３の粘着テープ３１の剥離面に接着して、複数の人工毛髪束セット３を一纏めにすることが可能である。
【００４７】
＜増毛方法＞
顧客に増毛方法を施術する場合は、図６（ｂ）に示す一番上の人工毛髪束セット３から順に人工毛髪束２を剥離する。施術者は、粘着テープ３１の上辺からはみ出した輪１３ａの一部を指で摘んで、人工毛髪束２を１つずつ粘着テープ３１の接着面から剥離することができる。次に、施術者は、図５に示す人工毛髪束２の輪１３ａを、顧客の頭部から生えている一本の自毛に通し、人工毛髪束２の輪１３ａを自毛の根元に位置させる。その後、施術者は、図５に示すマスキングテープ２１、２２を持ち手にして、人工毛髪束２の第１領域１１の束と第２領域１２の束とを相反する方向に引く。すると、第３領域１３の輪１３ａが結び目を作り、人工毛髪束２が自毛の根元にＶ字形に結着される。これにより、１本の自毛が９本（このうちの８本は、４本の人工毛髪１の第１及び第２領域１１、１２である）に増毛される。
【００４８】
＜作用効果＞
本実施形態の人工毛髪１は、図１（ｄ）、（ｆ）に示すように、結び目が形成される第３領域１３における単繊維の断面積が減少されている。これにより、人工毛髪１の結び目を小さく目立たなくすることが可能である。特に、自毛の根元に結着した人工毛髪１の結び目は、１ヶ月で約１ｃｍも自毛の根元から上に移動するが、断面積が減少された単繊維の結び目は、小さくて目立たず、櫛やブラシの歯に引っ掛かり難い。
【００４９】
また、本実施形態の人工毛髪１の製造方法は、第３領域１３における単繊維の断面積を図３（ｂ）及び図４（ｂ）、（ｃ）に示すウェットブラストの湿式研磨によって減少させている。ウェットブラストは、乾式のブラスト加工と比較して、微細な研磨粒子を使用することができ、加工時の圧力を低く抑えることが可能である。この結果、極めて細い単繊維の外周面に微細な研磨加工を施すことができ、第３領域１３における単繊維の断面積を精度よく減少させることが可能である。
【００５０】
さらに、図５に示す人工毛髪束２、及び図６に示す人工毛髪束セット３を構成した場合は、第３領域１３の輪１３ａを１本の自毛に通して、第１及び第２領域１１、１２を相反する方向に引くだけで、人工毛髪束２を自毛の根元に結着させることができる。これにより、多数本の人工毛髪１を顧客の自毛に効率よく結着させることができ、増毛方法の施術が極めて容易になる。
【００５１】
なお、本発明の人工毛髪は、上述した実施形態に限定されるものではない。例えば、本発明の人工毛髪の用途は、増毛方法に限定されるものではなく、かつらを構成する毛髪に用いてもよい。この場合、断面積が減少された第３領域の単繊維を、かつらベースや人工皮膚の網目をなす繊維、網目をなさないテグスに結着することで、人工毛髪の結び目を小さく目立たなくすることができる。
【符号の説明】
【００５２】
１  人工毛髪
２  人工毛髪束
３  人工毛髪束セット
１１  第１領域
１２  第２領域
１３  第３領域
１３ａ  輪
２１、２２  マスキングテープ
３１  粘着テープ
１００  加工用基板
１０１  開口部
１１１  両面テープ
１１２  カバープレート
２００  ブラストガン
３００  シャワーヘッド
Ｄ１  直径
Ｄ２、Ｄ３  短径
Ｌ１  人工毛髪の長さ
Ｌ２  人工毛髪どおしの間隔
Ｌ３  開口幅
【図１】
2020133075.tif 000003
【図２】
2020133075.tif 000004
【図３】
2020133075.tif 000005
【図４】
2020133075.tif 000006
【図５】
2020133075.tif 000007
【図６】
2020133075.tif 000008